(57)【要約】  カートンは、カートンの運搬中にユーザの手に対するクッションとなるガセットを有するハンドルを備える。ハンドルはまた、追加的な強度、剛度及び引き裂けに対する耐性をカートンに与える。
2008529915.tif 000002
【特許請求の範囲】
【請求項１】
カートンに組み立てるためのブランクであって、
第１のパネルと、
前記第１のパネルに折り曲げ可能に連結されている第２のパネルと、
前記第２のパネルに折り曲げ可能に連結されている第３のパネルと、
前記第３のパネルに折り曲げ可能に連結されている第４のパネルと、
該ブランクの第１の周縁区域に沿って延在する少なくとも１つの第１の端部フラップと、
該ブランクの第２の周縁区域に沿って延在する少なくとも１つの第２の端部フラップと、
第１のガセット、第２のガセット、第１の引き裂き停止部及び第２の引き裂き停止部を有するハンドルであって、
第１の弓形凹状外側線、第２の弓形凹状外側線、及び該第１の弓形凹状外側線及び該第２の弓形凹状外側線の間に延在する開口線によって少なくとも一部が画定され、
前記第１のガセット及び前記第２のガセット、前記第１の弓形凹状外側線及び前記第２の弓形凹状外側線、及び前記開口線は、前記第２のパネル、前記第３のパネル及び前記第４のパネルを横切って延在し、
前記第１の引き裂き停止部は、前記第２のパネル内の前記第１の弓形凹状外側線の第１の端部から間隔をおいた位置にあり、
前記第２の引き裂き停止部は、前記第４のパネル内の前記第１の弓形凹状外側線の第２の端部から離間する、ハンドルと
を備える、ブランク。
【請求項２】
前記第１の弓形凹状外側線及び前記第２の弓形凹状外側線は、ほぼ連続した弓形である、請求項１に記載のブランク。
【請求項３】
前記第１のガセットは、前記開口線の第１の側に配置され、前記第２のガセットは、該開口線の第２の側に配置される、請求項２に記載のブランク。
【請求項４】
前記ハンドルはさらに、
前記開口線の近傍の点から延びた第１の斜め線と、
前記開口線の近傍の点から延びた第２の斜め線と
によって少なくとも一部が画定される、請求項３に記載のブランク。
【請求項５】
前記ハンドルはさらに、
前記開口線の近傍の点から延びた第３の斜め線と、
前記開口線の近傍の点から延びた第４の斜め線と
によって少なくとも一部が画定され、
前記第１の斜め線及び前記第２の斜め線は、前記第１のガセットを通って延在し、
前記第３の斜め線及び前記第４の斜め線は、前記第２のガセットを通って延在する、請求項４に記載のブランク。
【請求項６】
前記第１の斜め線は、前記第２のパネル及び前記第３のパネル間の折り線の近傍に延在し、前記第２の斜め線は、前記第３のパネル及び前記第４のパネル間の折り線の近傍に延在する、請求項４に記載のブランク。
【請求項７】
前記第１の引き裂き停止部は、第１のほぼＶ字形の線と第１の長手方向延在線とを有し、該第１の長手方向延在線は、前記第１の端部の近傍で該第１の端部から離間する、請求項６に記載のブランク。
【請求項８】
前記第１の弓形凹状外側線及び前記第２の弓形凹状外側線は、前記第１の端部が第１の弓形切れ目の位置で合流し、前記第２の端部が第２の弓形切れ目の位置で合流する、請求項３に記載のブランク。
【請求項９】
前記第１の引き裂き停止部は、第１のほぼＶ字形の線と第１の長手方向延在線とを有し、該第１の長手方向延在線は、前記第１の端部の近傍で該第１の端部から離間する、請求項３に記載のブランク。
【請求項１０】
前記開口線は、引き裂き線を有し、
前記第１の弓形凹状外側線及び前記第２の弓形凹状外側線は、少なくとも一部が折り目で画定される、請求項３に記載のブランク。
【請求項１１】
カートンに組み立てるためのブランクであって、
第１のパネルと、
前記第１のパネルに折り曲げ可能に連結されている第２のパネルと、
前記第２のパネルに折り曲げ可能に連結されている第３のパネルと、
前記第３のパネルに折り曲げ可能に連結されている第４のパネルと、
該ブランクの第１の周縁区域に沿って延在する少なくとも１つの第１の端部フラップと、
該ブランクの第２の周縁区域に沿って延在する少なくとも１つの第２の端部フラップと、
第１のガセット、第２のガセット、第１の引き裂き停止部及び第２の引き裂き停止部を有するハンドルであって、
第１の弓形凹状外側線、第２の弓形凹状外側線、該第１の弓形凹状外側線及び該第２の弓形凹状外側線間に延在する開口線、該開口線の近傍の点から延びた第１の斜め線、及び該開口線の近傍の点から延びた第２の斜め線によって少なくとも一部が画定され、
前記第１のガセット及び前記第２のガセット、前記第１の弓形凹状外側線及び前記第２の弓形凹状外側線、及び前記開口線は、前記第２のパネル、前記第３のパネル及び前記第４のパネルを横切って延在し、
前記第１の引き裂き停止部は、前記第１の弓形凹状外側線の第１の端部から離間し、第１のほぼＶ字形の線及び第１の長手方向延在線を有しており、
前記第２の引き裂き停止部は、前記第１の弓形凹状外側線の第２の端部から離間する、ハンドルと
を備える、ブランク。
【請求項１２】
前記第１の斜め線は、前記第２のパネル及び前記第３のパネル間の折り線の近傍に延在し、前記第２の斜め線は、前記第３のパネル及び前記第４のパネル間の折り線の近傍に延在する、請求項１１に記載のブランク。
【請求項１３】
前記ハンドルはさらに、
前記開口線の近傍の点から延びた第３の斜め線と、
前記開口線の近傍の点から延びた第４の斜め線と
によって一部が画定され、
前記第１の斜め線及び前記第２の斜め線は、前記第１のガセットを通って延在し、
前記第３の斜め線及び前記第４の斜め線は、前記第２のガセットを通って延在する、請求項１２に記載のブランク。
【請求項１４】
前記第１の弓形凹状外側線及び前記第２の弓形凹状外側線は、前記第１の端部が第１の弓形切れ目の位置で合流し、前記第２の端部が第２の弓形切れ目の位置で合流する、請求項１３に記載のブランク。
【請求項１５】
前記開口線は、引き裂き線を有し、
前記第１の弓形凹状外側線及び前記第２の弓形凹状外側線は、少なくとも一部が折り目で画定される、請求項１１に記載のブランク。
【請求項１６】
カートンであって、
第１のパネルと、
前記第１のパネルの隣の第２のパネルと、
前記第２のパネルの隣の第３のパネルと、
前記第１のパネル及び前記第３のパネルの隣の第４のパネルと、
該カートンの第１の端部の第１の端部パネルと、
該カートンの第２の端部の第２の端部パネルと、
第１のガセット、第２のガセット、第１の引き裂き停止部及び第２の引き裂き停止部を有するハンドルであって、
第１の弓形凹状外側線、第２の弓形凹状外側線、及び該第１の弓形凹状外側線及び該第２の弓形凹状外側線間に延在する開口線によって少なくとも一部が画定され、
前記第１のガセット及び前記第２のガセット、前記第１の弓形凹状外側線及び前記第２の弓形凹状外側線、及び前記開口線は、前記第２のパネル、前記第３のパネル及び前記第４のパネルを横切って延在し、
前記第１の引き裂き停止部は、前記第２のパネル内の前記第１の弓形凹状外側線の第１の端部から離間し、
前記第２の引き裂き停止部は、前記第４のパネル内の前記第１の弓形凹状外側線の第２の端部離間する、ハンドルと
を備える、カートン。
【請求項１７】
前記第１の弓形凹状外側線及び前記第２の弓形凹状外側線は、ほぼ連続した弓形である、請求項１６に記載のカートン。
【請求項１８】
前記ハンドルはさらに、
前記開口線の近傍の点から延びた第１の斜め線と、
前記開口線の近傍の点から延びた第２の斜め線と
によって少なくとも一部が画定される、請求項１６に記載のカートン。
【請求項１９】
前記ハンドルはさらに、
前記開口線の近傍の点から延びた第３の斜め線と、
前記開口線の近傍の点から延びた第４の斜め線と
によって少なくとも一部が画定され、
前記第１の斜め線及び前記第２の斜め線は、前記第１のガセットを通って延在し、
前記第３の斜め線及び前記第４の斜め線は、前記第２のガセットを通って延在する、請求項１８に記載のカートン。
【請求項２０】
前記第１の斜め線は、前記第２のパネル及び前記第３のパネル間の折り線の近傍に延在し、前記第２の斜め線は、前記第３のパネル及び前記第４のパネル間の折り線の近傍に延在する、請求項１８に記載のカートン。
【請求項２１】
前記第１の引き裂き停止部は、第１のほぼＶ字形の線と第１の長手方向延在線とを有し、該第１の長手方向延在線は、前記第１の端部の近傍で該第１の端部から離間する、請求項２０に記載のカートン。
【請求項２２】
前記第１の弓形凹状外側線及び前記第２の弓形凹状外側線は、前記第１の端部が第１の弓形切れ目の位置で合流し、前記第２の端部が第２の弓形切れ目の位置で合流する、請求項１６に記載のカートン。
【請求項２３】
前記開口線は、引き裂き線を有し、
前記第１の弓形凹状外側線及び前記第２の弓形凹状外側線は、少なくとも一部が折り目で画定される、請求項１６に記載のカートン。
【発明の詳細な説明】
【技術分野】
【０００１】
［関連出願］
本出願は、２００５年２月１８日に出願された「Handle Design（ハンドル構造）」と題する米国特許仮出願第６０／６５４，３４７号の利益を主張し、その内容全体は、参照によって本明細書に援用される。
【背景技術】
【０００２】
カートン用のハンドル構造は、当該技術分野において周知である。しかしながら、従来のハンドル構造には多くの不都合がある場合が多い。たとえば、従来のハンドル構造は、強度不足のために、カートンの持ち上げ中に破損するであろう。また、持ち上げると、従来のカートンは、ハンドルを形成する引き裂き線で、又はその周りで曲がるか、又は引き裂けるであろう。
【発明の開示】
【課題を解決するための手段】
【０００３】
［概要］
本発明の第１の実施の形態によれば、カートンは、多数のカートンパネルを通って延びる開口線及び外側線によって画定される第１のガセット及び第２のガセットを有するハンドルを備える。引き裂き停止部が、外側線の端部から離間する（間隔をおいた位置にある）。ガセットは、開口線でアクセスされて、使用中にカートンの内部に折り込まれることができる。外側線は、内側に凹状の弓形輪郭を有することができる。
【０００４】
本発明の一態様によれば、ハンドルは、ハンドル線の配置及び形状によってカートンに強度を与える。ハンドルはまた、引き裂け又は過度の曲がり等の可能性を低減させながら、上ハンドル面のたわみを可能にする。ハンドルはまた、隣りの側部パネルをほぼ曲がらない位置に保持しながら、上部パネル又は上パネルを外向き又は上向きにわずかにたわませることができる。このたわみにより、カートンは、カートン内に配置された物品の接触及び／又は支持を維持することができる。
【０００５】
当業者であれば、実施形態の以下の詳細な説明を以下に挙げる図面を参照しながら読めば、上記利点及びさまざまな追加実施形態の他の利点及び利益を理解できるであろう。
【０００６】
通常のやり方に従って、以下に記載する図面のさまざまな機能部は、必ずしも一定の縮尺で描かれていない。本発明の実施形態をより明らかに図示するために、図中のさまざまな機能部及び要素の寸法が拡大又は縮小されているであろう。
【発明を実施するための最良の形態】
【０００７】
［詳細な説明］
本発明のハンドルは、包括的にはカートン又は他の容器のためのハンドルに関する。本発明は、たとえば、食品及び／若しくは飲料等の物品又は製品を収容するカートンに使用されることができる。物品は、缶、ボトル、ペットボトル容器等の飲料容器、又は食品の包装に使用されるもの等の他の容器を含むことができる。さらに、ハンドルは、食品、家庭用洗剤及び同様の製品の包装に使用されるもの等の箱に入った物品を収容するカートンに使用されることができる。
【０００８】
図１は、本発明の第１の実施形態に従った（図５及び図６に示す）カートン２００を形成するために使用されるブランク８の平面図である。ブランク８は、横方向折り線２１で上側パネル２０に折り曲げ可能に連結されている底部パネル１０と、横方向折り線３１で上側パネル２０に折り曲げ可能に連結されている上部パネル３０と、横方向折り線４１で上部パネル３０に折り曲げ可能に連結されている下側パネル４０とを有する。接着パネル５０が、横方向折り線５１で底部パネル１０に折り曲げ可能に取り付けられることができる。上部パネル３０は、応力除去線３６、３８を有してもよい。
【０００９】
第１の底端部フラップ１２及び第２の底端部フラップ１４が、底部パネル１０の対向端部に折り曲げ可能に連結されることができる。第１の側端部フラップ２２及び第２の側端部フラップ２４が、上側パネル２０の対向端部に折り曲げ可能に連結されることができる。第１の上端部フラップ３２及び第２の上端部フラップ３４が、上部パネル３０の対向端部に折り曲げ可能に連結されることができる。第３の側端部フラップ４２及び第４の側端部フラップ４４が、下側パネル４０の対向端部に折り曲げ可能に連結されることができる。端部フラップ１２、２２、３２、４２は、ブランク８の第１の周縁区域に沿って延在して、第１の長手方向折り線６２に沿って折り曲げ可能に連結されることができる。端部フラップ１４、２４、３４、４４は、ブランク８の第２の周縁区域に沿って延在して、第２の長手方向折り線６４に沿って折り曲げ可能に連結されることができる。長手方向折り線６２、６４は、直線状の折り線でよいが、たとえばブランクの厚さを考慮して、１カ所又は複数カ所でずらすこともできる。カートン２００を組み立てた（図５）とき、端部フラップ１２、２２、３２、４２がカートン２００の第１の端部を閉鎖し、端部フラップ１４、２４、３４、４４がカートン２００の第２の端部を閉鎖する。
【００１０】
カートンブランク８の１カ所又は複数カ所にディスペンサ８０を形成してもよい。例示的なブランク８は、ブランクの第２の端部にディスペンサ８０を有するように図示されている。ディスペンサ８０は、たとえばブランク８内の切れ目、折り目、引き裂き線、折り線又は他の破断線の組み合わせから形成されることができる。
【００１１】
ハンドル１００が、上側パネル２０、上部パネル３０及び下側パネル４０を横切って形成されている。図２を参照しながら、以下にハンドル１００をより詳細に説明する。
【００１２】
図２を参照すると、ハンドル１００は、第１の弓形外側線１０２と、第２の弓形外側線１０４と、第１の弓形外側線１０２及び第２の弓形外側線１０４間に延在する開口線１０６とを有する。第１の斜め線１１２及び第２の斜め線１１６が、開口線１０６の、接触を含めた近傍の点から第１の弓形外側線１０２の近傍の点まで延在している。第３の斜め線１１４及び第４の斜め線１１８が、開口線１０６の近傍の点から第２の弓形外側線１０４の近傍の点まで延在している。第１の斜め線１１２及び第３の斜め線１１４は一般的に、それぞれ第１の弓形外側線１０２及び第２の弓形外側線１０４と横方向折り線３１との交点に向かって延びるであろう。第２の斜め線１１６及び第４の斜め線１１８は一般的に、それぞれ弓形外側線１０２、１０４と横方向折り線４１との交点に向かって延びるであろう。
【００１３】
ハンドル１００の線は、第１の折り曲げ可能ガセット１３０及び第２の折り曲げ可能ガセット１３２を開口線１０６のそれぞれの第１の側及び第２の側に画定する。第１のガセット１３０は、第１の中央パネル１４１と第１の縁部パネル１５１及び第２の縁部パネル１６１とを有する。第２のガセット１３２は、第２の中央パネルと第３の縁部パネル１５２及び第４の縁部パネル１６２とを有する。縁部パネル１５１、１５２は、上側パネル２０から上部パネル３０まで延在することができ、縁部パネル１６１、１６２は、上部パネル３０から下側パネル４０まで延在することができる。
【００１４】
弓形外側線１０２、１０４の第１の端部及び第２の端部は、それぞれ第１の弓形切れ目１５４及び第２の弓形切れ目１６４で終端するであろう。第１の弓形切れ目１５４及び第２の弓形切れ目１６４は、ハンドル１００内に配置されて、ハンドルを開いたとき、ガセット１３０、１３２の端縁部を画定し、且つ開口線１０６の長さを越える引き裂きを阻止することができる。第１の引き裂き停止部１２０及び第２の引き裂き停止部１２１は、第１の弓形切れ目１５４及び第２の弓形切れ目１５６から離間させる（間隔をおく）ことができる。第１の引き裂き停止部１２０は、第１のほぼＶ字形の線１２２と、弓形外側線１０２、１０４の第１の端部から離間し（間隔をおいた）第１の長手方向延在線１２４とを有する。第２の引き裂き停止部１２１は、第２のほぼＶ字形の線１２６と、第１の弓形外側線１０２及び第２の弓形外側線１０４の第２の端部から間隔をおいた第２の長手方向延在線１２８とを有する。一般的に、引き裂き停止部１２０、１２１は、開口からの引き裂け及び／若しくはハンドル１００の使用の制限並びに制御を行うように構成されている。
【００１５】
第１の弓形外側線１０２及び第２の弓形外側線１０４は、たとえば、ハンドル１００にアクセスするとき、第１のガセット１３０及び第２のガセット１３２を内向きに折り曲げることができるように構成された一連の切れ目及び折り目（たとえば、切れ目／折り目線）によって形成されることができる。開口線１０６は、たとえば一連の間隔をおいた切れ目（たとえば、切れ目／間隔線）によって形成されることができる。開口線１０６は、貫通時に開口又は引き裂けが生じるように構成され、たとえば「引き裂き線」と一般的に呼ばれるであろう。開口線１０６は、開口線１０６での引き裂き及び／又は開口を容易にするために、開口線１０６の長さの全体又は一部に沿って延びる開口部を有することもできる。斜め線１１２、１１４、１１６、１１８は、たとえば開口線１０６より短い切れ目及び間隔長さを有する切れ目／間隔線でよい。Ｖ字形線１２２、１２６は、たとえば折り目線又は切り込み線であることができ、長手方向延在線１２４、１２８は、たとえば切れ目にすることができる。ハンドル１００内の切れ目の各々は、ブランク８を貫通する（１００％切り込みである）ことができる。
【００１６】
第１の弓形外側線１０２及び第２の弓形外側線１０４は、ほぼ連続した弓形輪郭を有することができ、開口線１０６に向かってほぼ連続的に内側が凹状になって、それらの凹面で互いに面すると説明されることができる。図２に示された実施形態では、第１の弓形外側線１０２及び第２の弓形外側線１０４は、縁部パネル１５１、１５２、１６１、１６２に沿って、また中央パネル１４１、１４２に沿って連続的に弓形である。弓形外側線１０２、１０４は概ね、図２に示すように、扁平化した卵形又は楕円形輪郭を画定する。
【００１７】
図３は、カートン２００の組み立ての初期ステップを示し、このステップでは、ブランク８が折り曲げられ、それにより、接着パネル５０が下側パネル４０に接触する位置へ移動して、適当な糊又は他の接着剤によって固定されている。図４を参照すると、ブランク８は、部分的に開いて、ほぼ管状のスリーブ形を有しており、端部フラップ１２、２２、３２、４２が折り曲げられて互いに接着され、それにより、カートン２００の第１の端部を閉鎖している。
【００１８】
図５を参照すると、その後、端部フラップ１４、２４、３４、４４が折り曲げられて互いに接着され、それにより、第２の端部を閉鎖して、カートン２００の組み立てを完了することができる。（図９に示す）容器Ｃは、カートン２００の両端部を閉鎖する前の任意時に、部分的に形成されたカートン２００内に装填されることができる。端部フラップ１２、２２、３２、４２は第１の端部パネル２１０を形成し、端部フラップ１４、２４、３４、４４は第２の端部パネル２２０を形成する。図６は、上側パネル２０を上向きにした組み立て済みカートン２００の斜視図である。
【００１９】
図７及び図８は、カートン２００を運搬形態にするために、ユーザがハンドル１００からハンドル開口を形成するところを示す。図７を参照すると、ユーザは、開口線１０６を押し込んでその位置で引き裂くことにより、１本又は複数本の指をハンドル１００に挿入することができる。図８を参照すると、次に、開口線１０６の引き裂けが下側パネル４０内へ延びると同時に、第２のガセット１３２をカートン２００の内部に折り込むことができる。第２のガセット１３２の折り込みは、１つには第２のガセット１３２の変形によって部分的に可能になる。第２のガセット１３２の変形は、たとえば斜め線１１４、１１８の位置で折り曲げることによって容易にすることができ、これにより、ガセット１３２の折り込み中に縁部パネル１５２、１６２を内向きに折り曲げることもできる。
【００２０】
同様に、第１のガセット１３０をカートン２００の内部に折り込むことができる。図９は、ハンドル１００の両側が開いた状態にあって、両方のガセット１３０、１３２がカートン内部に折り込まれた状態にあるカートン２００の上面図である。折り曲げられた第１のガセット１３０及び第２のガセット１３２の位置が、図９に陰線で表されている。カートン２００はこの時、運搬形態にあって、ユーザがカートンをハンドル１００のいずれかの側を掴み、ユーザの指が折り込みガセット１３０、１３２の一方を押し付けることができる。
【００２１】
両側ハンドル１００は、カートン２００の持ち上げ及び運搬を容易にして、ハンドル１００のいずれの側からも運搬できるようにする。たとえば、少なくとも一部の形態では、ユーザの手がカートン２００の生じたままの又は引き裂かれた縁部にまったく接触することなくハンドル１００に係合できるようにする一方、また、折り込まれたガセット１３０、１３２によってユーザの手にクッションを与えることにより、ハンドル１００はユーザがカートン２００を楽に運搬できるようにする。したがって、ハンドル１００は、ユーザがどちら側のアクセスを決定するかに関係なく、その両側にクッションを与える。ハンドル１００は両側式であるが、ユーザは、カートン２００を運搬するためにガセット１３０、１３２のいずれか一方でハンドル１００の片側を開くことを選択することができる。ガセット１３０、１３２の押し込みは、斜めハンドル線１１２、１１４、１１６、１１８によって容易になる。
【００２２】
ハンドル１００はまた、強度及び、カートン２００の持ち上げ及び運搬中の引き裂けに対する耐性を与える。図１及び図７〜図９を参照すると、第１の側部パネル２０及び第２の側部パネル４０の一方又は両方の内部へ下向きに延びることができるハンドル１００は、持ち上げの応力の一部を、垂直に延在する側部パネル２０、４０に沿って伝達できるようにする。加えて、ほぼ連続的に内側に凹状の弓形であることができる弓形外側線１０２、１０４の輪郭により、上部パネル３０及び側部パネル２０、４０の、ハンドル１００の外周沿い且つその周囲での応力集中が防止される。
【００２３】
さらに、ハンドル１００は、第１の及び第２の側部パネル２０、４０での曲がりを減少させる一方で、上部パネル３０のたわみ及び曲がりを見込んでおくことができる。このたわみにより、カートン２００は、カートン内に配置された物品の接触及び／又は支持を維持することができる。
【実施例１】
【００２４】
図５及び図６に示されたような平行六面体カートン２００は、８本の１２オンスペタロイド型ボトルを２×４配列で収容した。図５を参照すると、カートン２００は、高さＨが約６．７５インチ、幅Ｗが約５．１２５インチであった。カートン２００は、ソリッド未晒硫酸塩（ｓｏｌｉｄ  ｕｎｂｒｅａｃｈｅｄ  ｓｕｌｆａｔｅ）板紙（ＳＵＳ）から構成された。折り線６２、６４は、切れ目／折り目線であって、切れ目はブランク８を貫通していた（すなわち、１００％切り込み）。折り線２１、３１、４１、５１は折り目であった。図２を参照すると、ハンドル１００は、深さＤＨが約１．５インチ、幅ＷＨが約１０．３７５インチであった。ハンドル１００は、開口線１０６に関して対称的であった。第１の弓形外側線１０２及び第２の弓形外側線１０４は、１００％切り込みの切れ目／折り目線から形成され、開口線１０６は、１００％切り込みの切れ目／間隔線から形成された。斜め線１１２、１１４、１１６、１１８も、１００％切り込みの切れ目／間隔線から形成された。
【００２５】
上記実施形態によれば、ハンドル１００の弓形外側線１０２、１０４が連続的な弓形として示されているが、ハンドル１００の全体形状を、たとえば凹状配置された連続直線切れ目及び／又は折り目等によって達成してもよい。たとえば、中央部分（たとえば、図２の寸法ＤＨ）で比較的厚く、ガセットの端部又は外縁部で比較的薄い外形を画定するように、直線状の線又は線分を使用することができ、弓形外側線は、ハンドルの長さを横切ってほぼ連続的に凹状の弓形である。そのような構造は、ガセットの縁部でのテーパとして特徴付けられることができる。
【００２６】
上記実施形態において、カートン２００は、ペタロイドボトル型容器Ｃを２×４配列で収容するものとして記載されている。しかしながら、本発明に従ったカートン内に、他の形式の容器、パッケージ、物品及び他のものを収容することができる。たとえば、さまざまな容器形状を収容するために、ブランク８の寸法も変更してもよい。たとえば、本発明のハンドルを設けるカートンは、物品を、たとえば３×４、４×３、３×６、２×４、２×５等の他の配列で保持するような寸法及び形状であっても、満足できる働きをするであろう。
【００２７】
カートン２００は、カートン内容物にカートンの端部から触れることができるようにするディスペンサ８０を有するものとして図示されている。開口機能部が望まれる場合、カートン内容物に触れやすくするために、他の開口機能部を設けることができる。加えて、物品をカートン内で位置付ける位置付けアセンブリを備えてもよい。
【００２８】
本明細書に詳細に述べたハンドルは、任意の容器、箱、カートン等に設ける、又はそれらと共に使用されることができる。実際に、本明細書に詳細に述べたもの等の多数のハンドルを別の、対向位置の又は隣接したパネルに設けることができる。そのような多数のハンドルは、そのような多数のハンドルの恩恵を受けると思われるより大型、より嵩高若しくは他のカートンの持ち上げ及び／又は運搬に使用されることができるであろう。
【００２９】
本発明によるブランク８は、たとえばコーテッド板紙及び同様な材料から形成されることができる。たとえば、ブランクの内側及び／又は外側をクレー膜で被覆することができる。その場合、クレー膜全体に製品、広告、価格コード及び他の情報又は画像を印刷してもよい。その後、ブランク上に印刷されたすべての情報を保護するために、ブランクにニスを塗ってもよい。たとえば、ブランクの片面又は両面に防湿層も塗布してもよい。例示的な実施形態によれば、ブランクは、通常の紙より重いと共に剛性のキャリパの板紙から構成されることができる。ブランクはまた、カード用厚紙、硬質紙等の他の材料、又はハンドル１００が少なくともほぼ上記のように機能できるようにするのに適した特性を有する任意の他の材料から構成されることもできる。ブランクの選択パネル又はパネル部分に１つ若しくは複数のシート状材料を積層するか、又はそれらで被覆することもできる。
【００３０】
本発明では、折り線は、任意のほぼ線形であるが、必ずしも直線でない形であって、それに沿って折り曲げやすくする弱め線の形であることができる。さらに詳しく言うと、本発明の範囲を狭めるためではないが、折り線は、材料内に所望の弱め線に沿って押しつぶした部分を生じる、鈍い刻みナイフ等で付けた線等の切り込み線や、所望の弱め線に沿って材料に部分的に入れた切れ目、及び／又は所望の弱め線に沿って材料に部分的に入れた、且つ／又は材料を貫通した一連の切れ目や、これらの特徴のさまざまな組み合わせを含む。折り線を生じさせるために切れ目を使用する状況では、切れ目は一般的に、分別のあるユーザが誤って折り線を引き裂き線と見なしてしまうほどに過度に広がっていないであろう。
【００３１】
上記実施形態は、１つ又は複数のパネルが糊で貼り合わされるように記載されることができる。「糊」という表現は、カートンパネルを所定位置に固定するために一般的に使用されるすべての接着剤を包含するものとする。
【００３２】
本発明の以上の記載は、本発明を示し、説明している。また、本開示は、本発明の選択された実施形態だけを示して説明しているが、本発明は、さまざまな他の組み合わせ、修正形及び環境で使用されることができ、上記教示に対応した、及び／又は関連技術分野の技術若しくは知識内の、本明細書に記載する発明の概念の範囲に入る変化又は修正が可能であることを理解されたい。
【図面の簡単な説明】
【００３３】
【図１】本発明の第１の実施形態に従ったカートンを形成するために使用されるブランクの外側の平面図である。
【図２】第１の実施形態に従ったカートンのハンドルの詳細図である。
【図３】部分的に組み立てた形態にあるカートンを示す図である。
【図４】より完全に組み立てた形態にあるカートンを示す図である。
【図５】組み立て済みカートンの斜視図である。
【図６】組み立て済みカートンの別の斜視図である。
【図７】ハンドルの開口を示す図である。
【図８】ハンドルのさらなる開口を示す図である。
【図９】ハンドルが開口状態にあって運搬形態にあるカートンの上面図である。
【図１】
2008529915.tif 000003
【図２】
2008529915.tif 000004
【図３】
2008529915.tif 000005
【図４】
2008529915.tif 000006
【図５】
2008529915.tif 000007
【図６】
2008529915.tif 000008
【図７】
2008529915.tif 000009
【図８】
2008529915.tif 000010
【図９】
2008529915.tif 000011
【国際調査報告】
2008529915.tif 000012
2008529915.tif 000013
2008529915.tif 000014